(57)【要約】      （修正有）【課題】過大な強風が発生しても、折畳み式ゴミ集積ボックスに付設可能な看板、およびそれを有し、かつ安全に格納できるゴミ集積ボックスを提供する。【解決手段】地面に固定して立設され、平面状の広告面が形成された看板本体を備える屋外で使用する看板において、通常時には広告面の底部位置が、少なくとも地面より８０ｃｍ以上の高さ位置に配設され、所定風速を超える風が吹いたら、看板本体が通常高さ位置から地面側へ落下する落下機構６０８と、落下の衝撃を緩和する緩衝材と、看板本体を通常高さ位置に支持する支持手段２３０とを設け、落下機構は看板本体の落下動を案内する案内手段を備え、案内手段は、看板本体の幅方向両側に設けたローラ２１４とローラが移動するローラレールとを備える。【選択図】図９
0003229533.tif 000002
【実用新案登録請求の範囲】
【請求項１】
地面に固定して立設され、平面状の広告面が形成された看板本体を備える屋外で使用する看板において、
通常時には前記広告面の底部位置が、少なくとも地面より８０ｃｍ以上の高さ位置に配設されており、
前記看板本体に所定風速を超える風が吹いたら、前記看板本体が通常高さ位置から地面側へ落下する落下機構と落下の衝撃を緩和する緩衝材を設けたことを特徴とする看板。
【請求項２】
前記看板本体の広告面は、少なくとも平板状の広告面もしくは上下両端部を回動部として回動するロール型の広告面のいずれかである請求項１に記載の看板。
【請求項３】
前記ロール型の広告面は、電動モータで広告面をロールすることを特徴とする請求項２に記載の看板。
【請求項４】
前記看板本体を通常高さ位置に支持する支持手段を設け、前記落下機構は前記看板本体の落下動を案内する案内手段を備え、前記案内手段は、前記看板本体の幅方向両側に設けたローラとこのローラが移動するローラレールとを備えることを特徴とする請求項１ないし３のいずれか１項に記載の看板。
【請求項５】
前記看板の前面側に配設され、不使用時には折り畳んで格納可能なゴミ集積ボックスを設けたことを特徴とする請求項１に記載の看板。
【請求項６】
前記ゴミ集積ボックスは、前記看板本体の下部であって前記看板に対向して設けられ、幅方向両側に支柱が取付けられる背板と、上下方向に離間してこの背板に対して回動可能に取付けられた上蓋および底板と、前記背板の両側部に設けられゴミ集積ボックスの奥行き方向中間部でヒンジを介して連結された折り畳み可能な側板と、一方の前記折り畳み可能な側板の一端側にその一端が、他方の前記折り畳み可能な側板の一端側にその他方がヒンジを介して接続された前板を含むことを特徴とする請求項５に記載の看板。
【請求項７】
前記ゴミ集積ボックスは、前記看板本体の下部であって前記看板に対向して設けられ、幅方向両側に支柱が取付けられる背板と、回動手段を介してこの背板に回動可能に取付けられた、上下方向に離間している上蓋および底板と、前記上蓋の下方で前記背板に回動可能に取付けられた収納容器とを備え、前記収納容器は前記上蓋に対応した大きさの開口を有するフレームと、このフレームに取付けられた網状の袋と、折り畳み可能に前記フレームに取付けられ、使用時に前記フレームをほぼ水平に維持する1対の支柱とを備えることを特徴とする請求項５に記載の看板。
【請求項８】
前記看板本体の広告面は、少なくとも平板状の広告面もしくは上下両端部を回動部として回動するロール型の広告面のいずれかであり、前記ロール型の広告面を、前記上蓋の回動でロールさせるロール手段を前記ゴミ集積ボックスに設けたことを特徴とする請求項６または７に記載の看板。
【請求項９】
背面板と、この背面板に取付けた底板を備えるゴミ集積ボックスにおいて、
前記背面板の背面側に請求項１から４のいずれか１項に記載の看板を配設したことを特徴とするゴミ集積ボックス。
【請求項１０】
前記ゴミ集積ボックスは、前記底板を前記背面板に回動可能に取付け、
前記ゴミ集積ボックスの不使用時には、前記底板を回動して前記背面板の前面側に前記底板を折り畳んで、前記ゴミ集積ボックスをコンパクトに格納することを特徴とする請求項９に記載のゴミ集積ボックス。
【考案の詳細な説明】
【技術分野】
【０００１】
本考案は、集合住宅や街角等に設置される看板およびそれを備えるゴミ集積ボックスに係り、特に折り畳み可能なゴミ集積ボックスに付設されて好適な看板およびそれを備えたゴミ集積ボックスに関する。
【背景技術】
【０００２】
集合住宅や町内会の空き地等に設置されるゴミ集積ボックスは、ゴミ収集日には存在位置が目立ち、ゴミ収集しない日にはできるだけ交通の妨げにならないことが望ましい。この目的のために、道路に面した場所に設置されるゴミ集積ボックスを、折畳み式にすることが提案されている。
【０００３】
例えば特許文献1には、カラスや猫等にごみを散乱されず、ごみ収集日以外はコンパクトに折り畳み可能なごみ収集箱が開示されている。具体的には、ごみ収集箱は、前面体と後面体と左右側面体と上面体とから形成されており、後面体に両側にゴミ箱本体を起立可能にするための支柱を立設している。そして、左右の各側面体を折り畳み可能な中折れ状に構成し、組立および折り畳み操作が安定かつスムーズに行えるように、平行移動手段を設けている。
【０００４】
さらに折畳み式ゴミ集積ボックスの利用範囲を広げるために、通知の掲示や広告の展示を可能にする広告板、看板または掲示板（以下総称して看板とも称す）を折畳み式ゴミ集積ボックスに付設し、ごみ収集日以外にも通行人の注意を喚起する役目を果たしている。そのようなゴミ集積ボックスの例が、特許文献２〜４に記載されている。
【０００５】
特許文献２に記載のゴミ集積ボックスでは、道路端にゴミ集積ボックスを設置する場合に、ごみ収集日の収集が終了した後は、ゴミ集積ボックスが道路に突出して通行の妨げになるのを防止するため、ワンタッチでゴミ集積ボックスを折り畳むようにしている。つまりゴミ集積ボックスでは、背面側の囲い部材の左右両端部に対して、中折れして扁平に折り畳み可能なよう前後の分割部材で構成される左右側面側の囲い部材の後端を回動自在に軸着し、左右両側面側の囲い部材の前端に対して前面側の囲い部材の端部を回動自在に軸着している。加えて、ゴミ集積ボックスの本体の上部には広告板が形成されている。
【０００６】
また特許文献３に記載のゴミ箱収納ケースでは、ゴミ箱をゴミ箱収納ケースに入れ、その収納ケースの上部に広告板を設けている。さらに特許文献４に記載の開閉形ごみステーションボードは、道路上に既にある地域の看板、住宅地図板、あるいは広告板と合体できる形状であり、普段は支柱の奥行きの範囲内に開閉側板、開閉前面板、開閉側固定板、網巻き付け棒等すべてを格納しており、開くときは両開きの開閉側板を手前に引き、その内側に畳み込まれた開閉前面板を開いて矩形のゴミ箱を形成している。
【先行技術文献】
【特許文献】
【０００７】
【特許文献１】特開２００４−２６３４１号公報
【特許文献２】特開２００４−８３２７９号公報
【特許文献３】実用新案登録第３１３９８１０号公報
【特許文献４】実用新案登録第３０７８２５９号公報
【考案の概要】
【考案が解決しようとする課題】
【０００８】
上記特許文献１〜４のいずれに記載の折畳み式ゴミ集積ボックスも、ごみ収集を終えた後にはゴミ集積ボックスを折り畳むので土地の占有面積が低減し、カラスや犬、猫等の動物からゴミ集積ボックス付近の環境が保持されると共に、公共用地の占有割合が低下し通行の妨げになることを回避できる。
【０００９】
特に、特許文献２〜４に記載のような広告板または看板が付設されたゴミ集積ボックスでは、不使用時にはゴミ箱の部分を広告板または看板側に寄せて、コンパクトに収納および保管可能である。しかしながら強風が発生すると、ゴミ箱部分は折り畳んでいるので強風の影響を受けにくいが、どんな天候でも通行者に掲示内容または広告内容を周知させるのが付設された広告板または看板の目的であるので立設させたままであり、広告板または看板には多大な風圧が加わり揺れ等を発生する。台風接近前後または台風時のような極度に過大な風が発生すると、例えば風速３０ｍ／sの風が、幅１．５ｍ、高さ１ｍの広告板または看板に当たると、風により広告板または看板に加わる力は、１．６ｋＮにも及ぶ。その結果、ゴミ箱に付設した広告板または看板が倒壊または吹き飛ぶ恐れがある。
【００１０】
本考案は、上記従来技術の不具合に鑑みなされたものであり、その目的は、過大な強風が発生しても、折畳み式ゴミ集積ボックスに付設可能な看板およびそれを有するゴミ集積ボックスを、安全に格納することにある。本考案の他の目的は、上記目的に加えて、ゴミ集積ボックスおよびそれに付設可能な看板を、簡単な機構を用いて折り畳みまたは格納姿勢で格納することにある。
【課題を解決するための手段】
【００１１】
上記目的を達成するための本考案の特徴は、地面に固定して立設され、平面状の広告面が形成された看板本体を備える屋外で使用する看板において、通常時には前記広告面の底部位置が、少なくとも地面より８０ｃｍ以上の高さ位置に配設されており、前記看板本体に所定風速を超える風が吹いたら、前記看板本体が通常高さ位置から地面側へ落下する落下機構と落下の衝撃を緩和する緩衝材を設けたことにある。
【００１２】
そしてこの特徴において、前記看板本体の広告面は、少なくとも平板状の広告面もしくは上下両端部を回動部として回動するロール型の広告面のいずれかであり、前記ロール型の広告面は、電動モータで広告面をロールするものでもよい。
【００１３】
また、前記看板本体を通常高さ位置に支持する支持手段を設け、前記落下機構は前記看板本体の落下動を案内する案内手段を備え、前記案内手段は、前記看板本体の幅方向両側に設けたローラとこのローラが移動するローラレールとを備えることが好ましい。さらに、前記看板の前面側に配設され、不使用時には折り畳んで格納可能なゴミ集積ボックスを設けるのが望ましい。
【００１４】
そして、前記ゴミ集積ボックスは、前記看板本体の下部であって前記看板に対向して設けられ、幅方向両側に支柱が取付けられる背板と、上下方向に離間してこの背板に対して回動可能に取付けられた上蓋および底板と、前記背板の両側部に設けられゴミ集積ボックスの奥行き方向中間部でヒンジを介して連結された折り畳み可能な側板と、一方の前記折り畳み可能な側板の一端側にその一端が、他方の前記折り畳み可能な側板の一端側にその他方がヒンジを介して接続された前板を含むことが望ましい。
【００１５】
また、前記ゴミ集積ボックスは、前記看板本体の下部であって前記看板に対向して設けられ、幅方向両側に支柱が取付けられる背板と、回動手段を介してこの背板に回動可能に取付けられた、上下方向に離間している上蓋および底板と、前記上蓋の下方で前記背板に回動可能に取り付けられた収納容器とを備え、前記収納容器は前記上蓋に対応した大きさの開口を有するフレームと、このフレームに取り付けられた網状の袋と、折り畳み可能に前記フレームに取り付けられ、使用時に前記フレームをほぼ水平に維持する1対の支柱とを備えるものが望ましい。なお、上記特徴において、前記ロール型の広告面を、前記上蓋の回動でロールさせるロール手段を前記ゴミ集積ボックスに設けるようにしてもよい。
【考案の効果】
【００１６】
本考案によれば、看板が所定風速よりも大なる強風を受けた時に、看板を支持する部材が自動的に開くようにしたので、過大な強風が発生しても、看板を安全に格納できる。また、看板が折畳み式ゴミ集積ボックスに付設されたときであっても、強風時に看板を安全に格納できる。それと共に、ゴミ集積ボックスを容易に折り畳めるので、ゴミ集積ボックスの不使用時には通行等を阻害せずに看板の機能を維持できる。
【図面の簡単な説明】
【００１７】
【図１】本考案に係る看板を有するゴミ集積ボックスの、一実施例の斜視図である。
【図２】図１に示すゴミ集積ボックスの分解斜視図である。
【図３】本考案に係る看板を有するゴミ集積ボックスの、他の実施例の斜視図である。
【図４】図３に示すゴミ集積ボックスの分解斜視図である。
【図５】図３に示すゴミ集積ボックスが備える支持棒の動作を説明する図であり、(ａ)支持状態の主要部の正面図、(ｂ)その側面図、(ｃ)格納状態の主要部の側面図、(ｄ)その正面図である。
【図６】図１に示すゴミ集積ボックスの格納姿勢を示す、(ａ)正面図、(ｂ)側面図である。
【図７】図３に示すゴミ集積ボックスの格納姿勢を示す側面図である。
【図８】図１、３に示すゴミ集積ボックスに付設した看板の一実施例の図であり、(ａ)その側面図、(ｂ)その正面図である。
【図９】図８に示す看板の落下を説明するための図であり、（ａ）主要部の正面図、(ｂ)その上面視図、（ｃ）その側面矢視図である。
【図１０】看板の他の実施例の落下を説明するための図であり、（ａ）主要部の正面図、(ｂ)その上面視図、（ｃ）そのＡ矢視断面図である。
【図１１】図１、３に示すゴミ集積ボックスに付設した看板の他の実施例の図であり、(ａ)その側面図、(ｂ)その正面図である。
【図１２】図１１に示す看板が備える落下機構の主要部の(ａ)上面図、（ｂ）側面図である。
【図１３】図１、３に示すゴミ集積ボックスに付設した看板が備える看板本体の他の実施例の図であり、（ａ）はその側面図、（ｂ）はその正面図である。
【図１４】図１、３に示すゴミ集積ボックスに付設した看板が備える看板本体の他の実施例の図であり、（ａ）はその正面図、（ｂ）はゴミ集積ボックスとの関係を説明する側面図である。
【考案を実施するための形態】
【００１８】
以下、本考案に係る看板およびそれを備えるゴミ集積ボックスのいくつかの実施例を、図面を用いて説明する。図1は、本発明に係る看板付きゴミ集積ボックス１００の一実施例の斜視図である。図１において、集合住宅や町内会のごみ集積所に配設されるゴミ集積ボックス３００には、ごみ収集日を報知する、各種伝達事項を報知する、または近隣住民や通行者等に宣伝するための看板２００、６００が付設されている。看板２００、６００は、地面に立設された左右１対の支柱２２０と１対の支柱２２０間に配置された看板本体２１０を備える。看板本体２１０は、一般的には紙片を貼付または画びょう止め等するものであるが、マーカ等で記載するものであってもよいし、電光看板であってもよい。看板本体２１０の下方または下部であって看板２００、６００に背面側が対向してゴミ集積ボックス３００が配設されている。
【００１９】
本実施例のゴミ集積ボックス３００は折り畳み式であり、典型的には、幅方向長さが１．５ｍ以下、高さ方向の長さが１．２ｍ以下、伸展時の奥行き方向長さが１ｍ以下となっている。以下この典型的なゴミ集積ボックス３００について説明するが、その大きさはこれより大きくても小さくてもよい。ただし、高さが高くなると、付設する看板本体２１０の下端部の位置を高くする必要はある。
【００２０】
ゴミ集積ボックス３００は、使用者がごみを投入するために開閉する上蓋３１０と、上蓋から上下方向に離間して配置される底板３６０と、上蓋３１０の両側であって下側に配置される１対の側板３４０と、両側板３４０の一端側にそれぞれ端部が接続する前板３７０と、前板３７０と前後方向に離間して配置される背面板３２０を備える。これによりゴミ集積ボックス３００は、ほぼ直方体状の内容積を持つ容器として形成される。本実施例のゴミ集積ボックス３００は折り畳み式であり、ごみ収集時間帯以外には、折り畳んで看板２００、６００の下部に沿って保管される。そのため、看板２００、６００の下部を掲示目的で使用することはできず、看板本体２１０の下端はゴミ集積ボックス３００の上面程度または上面よりやや下までしかない。
【００２１】
次に、本実施例で示したゴミ集積ボックス３００の詳細を、図２に示す分解斜視図を用いて説明する。図２において、背面板３２０は、角材で矩形に構成された支柱３２２と、支柱３２２の内側に配設された合成木板製の背板３２６と、背板３２６の上端部で前方側へ張り出した天板部３２８を有する。支柱３２２の幅方向左右端部であって上下方向に延びる部分には、上下方向中間部に、前後方向の厚さを減少させた切欠き部３３０が形成されており、底板３６０を折り畳んで格納する際の空間として供している。支柱３２２の幅方向左右端部であって上下方向に延びる部分の下端部は、このゴミ集積ボックス３００を地面に固定するもしくは安定して地面上に保持するための固定部３２４が形成されている。天板部３２８の前端部であって幅方向中間部には複数のヒンジ（蝶番）３３４の一方側が取り付けられており、ヒンジ３３４の他端部は上蓋３１０のヒンジ取付け部３１８に取付けられて、上蓋３１０を天板部３２８に回動可能に連結する。
【００２２】
上蓋３１０は、角柱で矩形に形成されたフレーム３１４と、矩形のフレーム３１４の内側に張られた網３１２を備える。フレーム３１４の前面側であって幅方向中間部には、上蓋３１０を使用者が開閉する把手３１６が上面側に取り付けられている。フレーム３１４の背面側部分には、背面板３２０の天板部３２８と連接するヒンジ３３４の他方側が取り付けられる。
【００２３】
１対の側板３４０は対称構造であり、それぞれ前後方向中間部で折り畳むことが可能なようになっている。すなわち、側板３４０は、前側板部３４４と後ろ側板部３４２とをヒンジ３５２で連結しており、各側板部３４２、３４４は、角材で矩形に形成されたフレーム３４６と、フレーム３４６の内側に張られた網３４８とを備える。後ろ側板部３４２を構成するフレーム３４６の最後方側であって上下方向中間部には、複数のヒンジ３５０の一方側が取り付けられており、ヒンジ３５０の他方側は、背面板３２０の支柱３２２の上下方向に延びる部分に取り付けられる。
【００２４】
前板３７０も、上蓋３１０や側板３４０と同様に角材製の矩形状フレーム３７２とフレーム３７２の内側に張られた網３７４とを備える。なお側板３４０や上蓋３１０に比べて、面積（前面面積）が大きいので、フレーム３７２の幅方向中間部にも角材をフレーム３７２として取り付け補強している。フレーム３７２の幅方向両端部であって上下方向の最下端部には、キャスタ３７６が取り付けられている。キャスタ３７６は、本ゴミ集積ボックス３００を折り畳むとき及び伸展するときに、前板３７０が滑らかに前後方向に移動するのを支援する。フレーム３７２の幅方向両端部であって上下方向中間部には複数のヒンジ３５４の一方側が取り付けられている。ヒンジ３５４の他方側は、側板３４０を構成する前側板部３４４の最前方のフレーム３４６に取り付けられる。したがって、ヒンジ３５０、３５２、３５４を支柱３２２、フレーム３４６、３７２に取り付けると、形状不安定な中折れした枠が形成される。
【００２５】
中折れした枠を真っすぐな矩形にするため、底板３６０の前端部が前板３７０のフレーム３７２の下端部に載置される。底板３６０の前端部であってほぼ中央部分には切欠き部３６２が形成されており、前板３７０に取り付けた補強用のフレーム３７２と干渉するのを避けている。底板３６０の前端部が前板３７０のフレーム３７２に載置されると、底板３６０、前板３７０、両側板３４０および背面板３２０で直方体状の容器が安定的に形成される。
【００２６】
なお底板３６０は後端部であって幅方向の中間部に複数ヒンジ３３６の一方側が取り付けられており、ヒンジ３３６の他方側は背面板３２０の支柱３２２に取り付けられている。したがって、このゴミ集積ボックス３００を不使用時には、底板３６０をヒンジ３３６部で回動して背面板３２０の切欠き部３３０内に格納することが可能になる。底板３６０を背面板３２０に沿って格納するために、底板３６０の前方側角部にはフック３６４が取り付けられている。フック３６４に図示しない糸を通して、底板３６０を引き上げることにより、底板３６０は背面板３２０側に手動で回動される。一方ゴミ集積ボックス３００を使用するときは、フック３６４に通した糸を緩めることで、底板３６０を前板３７０のフレーム３７２に載置することが可能になる。
【００２７】
図３に、看板付きゴミ集積ボックス１１０の他の実施例を示す。本実施例では、看板２００、６００は図１に示した実施例と同様であるが、取り付けるゴミ集積ボックス４００が上記ゴミ集積ボックス３００とは異なっている。本実施例のゴミ集積ボックス４００は、背面板４５０と、背面板４５０に回動可能に取り付けられた上蓋４１０と、上蓋４１０に対応した開口を有する袋を含み背面板４５０に回動可能に取り付けられた収納容器４２０と、上蓋４１０から上下方向に離間して配置された底板４７０を備える。本図に示したゴミ集積ボックス４００も、上蓋４１０、底板４７０、収納容器４２０をそれぞれ背面板４５０の方へ回動することにより、折り畳んで看板２００、６００の下部に沿って保管することができる。
【００２８】
このゴミ集積ボックス４００の詳細を、図４に示す分解斜視図を用いて説明する。図４において、背面板４５０は、左右１対の支柱４５２と、支柱４５２、４５２間に配設された背板４５４を備える。背板４５４には、詳細を後述する回動保持具４１６、４２４、４７６を取り付けるための回動保持具取り付け部４５８、４６０、４６２が、上下複数箇所に設けられている。支柱４５２の下端部は、本ゴミ集積ボックス４００を地面に固定するまたは安定して地面上に保持する固定部４５６が設けられている。
【００２９】
上蓋４１０は、丸いパイプを折り曲げた形状に形成したフレーム４１４と、フレーム４１４の内側に張られた網４１２を有する。フレーム４１４の前側であって幅方向中間部には、把手４１８が設けられている。上蓋４１０のパイプ製フレーム４１４は背面側の幅方向中間部で途切れており、この途切れたパイプの部分からパイプの両側へ回動保持具４１６を挿入した後、回動保持具４１６を背面板４５０の回動保持具取り付け部４５８に取り付ける。回動保持具４１６は、転がり軸受を保持する軸受ホルダのような形状をしており、貫通穴が形成されているだけの単純構造である。なお、フレーム４１４の途切れた部分を無くすために、フレームより大きな内径を持つ継パイプを途切れた部分に配設してもよい。
【００３０】
各家庭のゴミを収納する収納容器４２０は、上蓋４１０のフレーム４１４とほぼ同じ開口部の大きさで同形状のフレーム４２２と、フレーム４２２に紐４３０で取付けられた網状の袋４２６を備える。袋の上部には、袋状に形成した索通し部４２８が設けられており、袋４２６を窄める図示しない索が通されている。袋４２６を紐４３０で取付けるために、フレーム４２２には複数の紐穴４３２が形成されている（図５参照）。なお、フレーム４２２はパイプ状であり、紐穴４３２はパイプを横断するように貫通穴として形成さている。本ゴミ集積ボックス４００を使用時に、収納容器４２０のフレーム４２２をほぼ水平に維持するために、フレーム４２２の前面側には支柱４４０が回動可能に設けられている。
【００３１】
支柱４４０では、長手方向中間部で上支柱部４３５と下支柱部４３６が図示しないヒンジを介して接続されている。なお、上支柱部４３５と下支柱部４３６とをインローで接続してもよい。支柱４４０を途中で折れ曲がるまたは切り離せるようにしたのは、支柱４４０の長さが収納容器４２０の幅方向長さの半分よりも長いと、不使用時に折り畳んで格納する際、左右の支柱４４０が重なり整列しないためである。不使用時に支柱４４０をフレーム４２２に保持する保持具４４２（詳細は図５参照）がフレーム４２２の前面側複数箇所に設けられている。
【００３２】
収納容器４２０のフレーム４２２は背面側の幅方向中間部で途切れており、この途切れたパイプの部分からパイプの両側へ回動保持具４２４を挿入した後、回動保持具４２４を背面板４５０の回動保持具取り付け部４６０に取り付ける。回動保持具４２４は、上蓋４１０の回動保持具４１６と同様の形状であるが、背面板４５０に取付けたときに背面板４５０との距離が、上蓋４１０の場合よりも短くなるように、高さ（前後方向長さ）が低く抑えられている。なお、フレーム４２２の途切れた部分を無くすために、フレームより大きな内径を持つ継パイプを途切れた部分に配設してもよいことは、上蓋４１０の場合と同じである。
【００３３】
底板４７０は、上蓋４１０より大きいかもしくはそれと同程度の大きさの開口部を有するパイプ状のフレーム４７４と、フレーム４７４の上面にビス等で取付けられた木製合板製の下板４７２を有する。下板４７２は収納容器４２０の袋４２６が直接地面に接触して周囲を汚染するのを防止するために設けられている。フレーム４７４には、上蓋４１０や収納容器４２０の場合と同様に、複数の回動保持具４７６が取付けられている。底板４７０が円滑に回動できるように、下板４７２では、フレーム４７４の回動保持具４７６取付け位置に対応する位置に切欠き部４７３が形成されている。
【００３４】
回動保持具４７６の背面板４５０からの距離は、上蓋４１０と収納容器４２０の場合よりも前後方向に長く（高く）なっている。これはゴミ集積ボックス４００を折り畳んで格納する場合に、底板４７０を外側面にしてカバーとして使用するためである(図７参照)。下板４７２の前側であって角部には、収納容器４２０の支柱取付け位置に対応した位置に、溝４７８が形成されている。
【００３５】
次に、支柱４４０を含む固定保持部４８０の詳細を、図５に示す。図５（ａ）は支柱４４０を使用しているときの正面図であり、一部断面で示した図、同図（ｂ）はその側面図であり、一部断面で示した図、同図（ｃ）は支柱４４０を使用しない場合（格納時）の側面図であり、同図（ｄ）はその正面図であり支柱４４０の一部を示す図である。
【００３６】
支柱４４０はパイプを加工したものであり、上端部は収納容器４２０のフレーム４２２の外径形状に応じて半円形に切り込んでフレーム受け部４４９を構成している。一方下端部は、底板４７０の下板４７２に形成した溝４７８に嵌合するように円形パイプを平面に潰した形状の差込み部４４８を構成している。上述したように、支柱４４０はヒンジ接続またはインロー接続された上支柱部４３５と下支柱部４３６を有する。支柱４４０をこのように２分割構造にすると、収納容器４２０の高さが収納容器４２０の幅の１／２より長くても、不使用時には支柱４４０をヒンジ部で折り畳むまたはインロー部で切り離すことにより、以下に示すように、容易に収納容器４２０と共に格納できる。
【００３７】
支柱４４０の受け部４４９よりわずかに下方には、支柱４４０の長手方向に沿って延びる長穴４４４が支柱４４０の前後側に支柱４４０を貫通して形成されている。支柱４４０を取付ける収納容器４２０のフレーム４２２には、フレーム４２２を横断する貫通穴４４６が形成されている。貫通穴４４６と長穴４４４とを保持環４４１で連結する。保持環４４１は、ゴミ集積ボックス４００の不使用時に支柱４４０が収納容器４２０から逸失するのを防止すると共に、格納時に支柱４４０をフレ−ム４２２に保持する一助となる。
【００３８】
支柱４４０を使用するときは、支柱４４０の上端部の受け部４４９をフレーム４２２に宛がい、直立させる。支柱４４０の下端部の差込み部４４８は下板４７２に固定されるので、収納容器４２０のフレーム４２２は、２本の支柱４４０によりほぼ水平に維持される。不使用時には、支柱４４０の差込み部４４８を下板４７２から抜き取り、ほぼ９０°回動する。その際、保持環４４１は長穴４４４内を移動できるので、受け部４４９はフレーム４２２と干渉することなく回動できる。
【００３９】
支柱４４０をほぼ９０°回動したときに、支柱４４０の一方端側およびヒンジ接続部または取り外し部の近傍に対応するフレーム４２２の位置に、下方に開いた帯状の保持具４４２が取付けられている。保持具４４２は板金製もしくはプラスチック製で弾性を有する。保持具４４２は、フレーム４２２と支柱４４０を上下に重ねたときの外形をなぞった形状に製作されており、上方の部分円弧部でフレーム４２２に保持され、中間および下方の部分円弧部で支柱４４０（４３５、４３６）を保持する。支柱４４０を保持するときは、下方に開いた部分を押し拡げて支柱４４０をフレーム４２２に上下に重ね、保持具４４２の弾性で元の形状に戻す。
【００４０】
図６および図７に、図１および図３に示した看板付きゴミ集積ボックス１００、１１０が備えるゴミ集積ボックス３００、４００を折り畳んだ状態を示す。なお、これらの図では看板付きゴミ集積ボックス１００、１１０の看板本体２１０（図８参照）を下方に格納している。図６は、図１に示したゴミ集積ボックス３００を折り畳んで格納した場合であり、図６（ａ）は看板付きゴミ集積ボックス１００の正面図、同図（ｂ）はその側面図である。図７は、図３に示したゴミ集積ボックス４００を折り畳んで格納した場合の看板付きゴミ集積ボックス１１０の側面図である。
【００４１】
図６において、初めに底板３６０をヒンジ周りに回動して、背面板３２０の支柱３２２（図２参照）間に格納し、その後、前板３７０をキャスタを用いて後ろ側へ移動させることで側板３４０が後ろ側板部３４２と前側板部３４４にヒンジ部で折れ曲がり、その順で底板３６０に重なる。２つに折れて重なった側板３４０には前板３７０がヒンジ接続されているので、前板３７０が側板３４０の前面に重なる。最後に、上蓋３１０をヒンジ部で回動させて前板３７０の前に重ねて、格納姿勢が崩れるのを防止する。
【００４２】
同様に図７において、初めに収納容器４２０の支柱４４０をフレーム４２２に保持し、次いで収納容器４２０の回動保持具４２４を用いてフレーム４２２をほぼ９０°回動して背面板４５０に沿わせて配置する。その際、袋４２６は索等を用いて窄めておく。次に上蓋４１０を回動保持具４２４を用いてほぼ９０°回動させ、収納容器４２０に前後方向で重ねる。最後に底板４７０を回動保持具４７６を用いてほぼ９０°回動し、上蓋４１０の前側に重ねる。図示しない紐等を用いて底板４７０を背面板４５０に固定する。このようにして、ゴミ集積ボックス３００もゴミ集積ボックス４００もコンパクトに格納することが可能になる。
【００４３】
図８〜１０に、ゴミ集積ボックス３００やゴミ集積ボックス４００に付設される看板の一実施例を示す。図８（ａ）は、本考案に係る看板２００の一実施例の側面図であり、同図（ｂ）はその正面図である。図９は、本考案の特徴的構成の一つである落下部の一実施例を示す図であり、同図（ａ）は落下部の主要部の正面図、同図（ｂ）はその上面図、同図（ｃ）は落下部のＢ−Ｂ矢視図である。図１０は、落下部の他の実施例を示す図であり、同図（ａ）は落下部の主要部の正面図、同図（ｂ）はその上面図、同図（ｃ）は落下部の中間部の側面図である。
【００４４】
図８において、看板２００は、報知内容が掲示または展示される看板部２１２を有する看板本体２１０と、看板本体２１０の両側部に位置し看板本体２１０が取付けられる支柱２２０とを備える。看板本体２１０は、幅が約１．５ｍ、高さが約１ｍの長方形の厚板であり、周囲部にはフレームが形成されていてもよい。看板本体２１０の下端部であって、幅方向中央部には看板本体２１０を持ち上げる際に隙間が形成されるように、周囲部から凹んだ持ち手部２１１が形成されている。支柱２２０は、下端部に地面に固定する固定部材２２２、２２８を含む。支柱２２０はアルミ製または鋼製の形鋼である。支柱２２０および固定部材２２２の端部には、雨水除けキャップ２２４が装填されている。
【００４５】
看板本体２１０を持ち上げて展示に供する場合および風圧が過大で看板本体２１０を落下させる場合等の理由で看板本体２１０が昇降する際に、看板本体２１０を案内するガイド部２０６が、看板２００に設けられている。ガイド部２０６は、支柱２２０に形成した上下方向に延びる貫通溝穴２２１と、外側からこの貫通溝穴２２１を貫通して看板本体２１０の両側面であって上部に固定して取付けられたネジ２４２を備える。これにより、看板本体２１０は、ネジ２４２を中心にして下部が前後方向に揺動することが可能になると共に上下方向にも移動可能になり、さらに看板２００から看板本体２１０が外れることも防止される。
【００４６】
看板２００の中間部から地面付近までの間には、落下機構６０８が構成されている。落下機構６０８は、支柱２２０の両下部内側面に取付けられた断面コの字形または溝状部材であるガイドレール２１８と、このガイドレール２１８で横方向の移動を制限される、看板本体２１０の下部に取付けられたガイドローラ２１４を備える（図９参照）。ガイドローラ２１４は看板本体２１０に固定された軸２１３周りに回動可能である。ガイドローラ２１４を載置し、通常時は看板を保持する支持手段として機能する支持部材２３０が、ガイドレール２１８の幅方向ほぼ中間部に上下に延びて配置されている。支持部材２３０によりガイドレール２１８が形成する上下方向の通路は、ほぼ同幅の２つの通路２５１、２５２に前後方向で分割される。支持部材２３０の上面は凹型の円弧面に形成されており、その円弧面には摺動部材２３６が取付けられている。従って看板本体２１０は、風圧を受けるとその下端部が円弧面に沿って移動可能になっている。
【００４７】
ガイドレール２１８の上端部付近であって、両側部には、上に行くにつれ相互間の幅が減少する脱落防止部材２３１が取付けられている。脱落防止部材２３１は、看板本体２１０の下端部が風圧により前後に移動して、看板本体２１０に取付けたガイドローラ２１４がガイドレール２１８から外れるのを防止する。
【００４８】
強風時に看板本体２１０に風が当たると、風の方向が前後方向であれば、看板本体２１０はネジ２４２を中心にして前後に揺れ始め、ガイドローラ２１４は載置されていた摺動部材２３６の上面を滑り、その上面から前後に移動する。後方からの風ＷＲであれば前側（図９(ｂ)で左側）へのコースＤＲを、前方からの風ＷＦであれば後ろ側（図９（ｂ）で右側）へのコースＤＦを辿る。その結果、看板本体２１０の下部に取付けたガイドローラ２１４は前側通路２５２または後ろ側通路２５１へ移動しながらその通路２５２または２５１を落下する。一方、看板本体２１０の両側面であって上部に設けたネジ２４２は、支柱２２０に形成した貫通溝穴２２１にその動きを規制されて、上下方向の下向きにほぼ垂直に落下する。
【００４９】
これにより、看板本体２１０はわずかに傾きながら下向きに落下する。そして、最終的に地面近くまで落下する。看板本体２１０が落下する所定位置には、クッション材であるゴム製の緩衝材２３４がストッパとして配置されており、同様にネジ２４２が落下する所定位置には緩衝材を兼ねるゴム製のストッパ２３２が配置されているので、看板本体２１０は落下しても破損の恐れなく、両支柱２２０間に安定して格納される。
【００５０】
落下機構６０８の他の実施例を、図８および図１０を用いて説明する。図８（ａ）は、本発明に係る看板付きゴミ集積ボックスの他の実施例の側面図であり、図８（ｂ）はその正面図、図１０（ａ）は看板の端部の一部を示す図であり部分正面図、図１０（ｂ）はその上面視図、図１０（ｃ）は図１０（ｂ）のＡ矢視断面図である。図９の落下機構６０８の場合と異なり、本実施例では看板本体２１０の両側面に上下に同じガイドローラ２１４を備える。さらに、ガイドレールをほぼ支柱の全長にわたり上下方向に配置している。そのため、支柱２２０に設けた貫通溝穴２２１および看板本体２１０に固定するネジ２４２は不要になる。
【００５１】
本実施例では、下側のガイドローラ２１４がもはや看板を支持する機能を有しないので、看板本体２１０を地面から高く掲げて掲示内容を通行者等に報知する際に看板本体２１０を上方に保持する看板本体２１０の支持部材２５４（図８参照）が、看板本体２１０の下部であって幅方向両端部に設けられている。看板本体２１０の落下時に看板本体２１０が損傷するのを防止するために、支持部材２５４の下端部であって前後両面にはストッパ（緩衝材）２３４が配設されている。なお、看板本体２１０の損傷を低減するために、支持部材２５４の上面角部を面取りまたはＲ加工していてもよい。
【００５２】
看板本体２１０を持ち上げて展示に供する場合および風圧が過大で看板本体２１０を落下させる場合等の理由で看板本体２１０が昇降する際に、看板本体２１０を案内するガイドレール２１８が、支柱２２０のほぼ全長にわたり上下方向に取付けられている。ガイドレール２１８は、カーテンレールと同様の構造で、滑らかな移動経路２４０状に形成されており、図８に示すようにその中を看板本体２１０の側面に取付けたローラ２１４が回転しながら上下動することが可能になっている。ローラ２１４は、一端が看板本体２１０の側面に固定された軸２１３に回転自在に取付けられている。ローラ２１４は、看板本体２１０の両側部に、上下に離間してそれぞれ複数個配置されている。
【００５３】
強風時に看板本体２１０に風が当たるとき、風の方向が前後方向であれば、看板本体２１０は前後に揺れ始め、看板本体２１０の下端部は載置されていた支持部材２３０の上面から前後に移動する。その結果、支持部材２５４に載置されていた看板本体２１０の底部は載置からはずれ支持されるものが無い状態になって下向きに移動し始める。これにより、上下のローラ２１４も下向きに移動する。ここでガイドレール２１８は、上下方向中間部から下端部にわたりその幅を増しており、幅が増えた部分にはガイドレール２１８の幅を、ほぼ同じ幅の前後２つの通路２５１、２５２に分割するガイド部材２４８が設けられている。ガイド部材２４８の上端部は丸まった３角形状をしており、ローラ２１４の通路の分岐部２４６を形成する。看板本体２１０が落下して、下側のローラ２１４が分岐部２４６に達すると、看板本体２１０が後方からの風ＷＲを受けているのであれば前側（図９(ｂ)で左側）へのコースＤＲを、前方からの風ＷＦを受けているのであれば後ろ側（図９（ｂ）で右側）へのコースＤＦを看板本体２１０は辿る。
【００５４】
その後、看板本体２１０は支持部材２３０の表面に沿って落下し、それと共に上側のローラ２１４も下側のローラ２１４と同じコースを辿る。看板本体２１０が落下する所定位置には、クッション材であるゴム製の緩衝材２３４がストッパとして配置されており、同様に下側のローラ２１４が落下する所定位置には緩衝材を兼ねるゴム製のストッパ２３２が配置されているので、看板本体２１０は落下しても破損の恐れなく両支柱２２０間に安定して格納される。
【００５５】
なお初期状態で、看板本体２１０のローラ２１４をガイドレール２１８に取付けるために、看板本体２１０が落下しきった位置よりもわずかに高い位置のガイドレール２１８部分には、ローラ２１４挿入用の取付け用溝が形成されている。わずかに高くすることにより、看板本体２１０が落下位置に達したときにローラ２１４がガイドレール２１８から外れて、看板本体２１０が地面に放り出されるのを防止する。
【００５６】
本考案に係る看板の他の例を、図１１および図１２を用いて説明する。図１１は、図８と同様の図であり、同図（ａ）はその側面図、同図（ｂ）はその正面図である。本実施例が図８に示した実施例と異なるのは、支柱２２０の上下方向中間部に、通常時は看板本体２１０を載置し、強風時にはその載置を外す落下機構６１０を設けたことにある。従って図８で看板本体２１０を載置していた支持部材２３０は不要となる。支柱２２０の上部には、看板本体２１０を掲示する際および看板本体２１０が落下する際に、看板本体２１０が看板６００から飛び出さないように、図８に示した実施例と同様のガイドレール２１８が取付けられている。同様に、ネジ２４２が看板本体２１０に取付けられている。ただし、下側のローラ２１４は取付けられていない。落下機構６１０の下には、断面コの字形の格納機構が設けられており、格納機構６０６の最下端部には看板本体２１０が落下したときにクッション（緩衝材）として作用するゴム製のストッパ２３４が配置されている。
【００５７】
ネジ２４２を用いて、看板本体２１０を落下機構６１０まで持ち上げる。このとき落下機構６１０は開いている。落下機構６１０を超えて看板本体２１０を持ち上げたら、落下機構６１０を閉じる。これにより、看板本体２１０はネジと落下機構６１０により安定して保持される。一方、強風時には、落下機構６１０が開いて看板本体２１０は自然落下してストッパ２３４で落下を止められ、格納機構６０６により幅方向両端部を安定して保持される。
【００５８】
この落下機構の詳細を、図１２に示す。同図（ａ）は、その上面図、同図（ｂ）はその側面図である。落下機構６１０は、看板本体２１０の前後方向厚さより長い幅の溝が上下方向に貫通して形成されたベース６１２と、ベース６１２に摺動自在に載置された、例えばＰＴＦＥ製の１対の摺動具６２０を備える。摺動具６２０は、長手方向に直角な断面がＬ字形をしており、横に延びた部分の上側の摺動面６２４に看板本体２１０の底面が載置され、下側がベース６１２の受け部６１３の上面を構成する摺動面６２８に載置される。摺動具６２０の上下に延びた部分の内側である当接面６２２は、看板本体２１０の展示面側に対向する。摺動具６２０の側面と背面を囲むように補強部材としての保持部６１４が配置されており、保持部６１４の一方の側面（看板本体の幅方向端面側）には、パンタグラフ形状のリンク機構６５０が、軸６１９周りに回動可能に取付けられている。リンク機構６５０は、長リンク６３４と短リンク６３６を節点６３２で回動可能に組み合わせてパンタグラフ形状に構成されており、最上端の節点の軸６３０は保持部６１４に、最下端の節点の軸６１９にはローラ６１８が回転自在に取付けられている。ローラ６１８は、ベース６１２の内側面であって看板本体２１０の幅方向端部側に形成された、上下方向の案内溝６４２内を自在に走行できる。なおリンク機構６５０を可動にするための空間として切り込み６４４が、保持部６１２の端部内側に設けられている。
【００５９】
上述したように、ベース６１２には看板本体２１０が上下方向に通過できるように幅方向の開口部６２６が形成されており、この開口部６２６の幅ＷＤは、看板本体２１０の厚さｔより大きい。したがって、摺動具６２０を開口部６２６から動かせば看板本体２１０はたちまち落下する。摺動具６２０を動かすために、看板本体の底面であって幅方向端部近傍には、摺動具６２０に当接可能な当接具２０８を１ないし複数対設けている。
【００６０】
強風が吹いて、看板本体２１０に前後方向の風が当たると、看板本体２１０はネジ２４２周りに前後に回動する。そして、看板本体２１０の底面に設けた当接具２０８が摺動具６２０の内側端面に当接し、摺動具６２０を前後方向に移動させる。前後１対の摺動具６２０の内、一方の摺動具６２０が前後方向に移動させられると、パンタ機構６５０が軸６１９部の動きを案内溝６４２に規制されながら作動して、１対の摺動具６２０間の距離を広げる。広げられた距離が看板本体２１０の厚さｔを超えると、看板本体２１０は、ネジ２４２をガイドにして落下する。なお、摺動具６２０が落下機構６１０からはみ出さないよう落下機構の上面であって前後方向端部には、ストッパ壁６４８が設けられている。ネジ２４２が上下方向に自在に落下できるように、ベース６１２の側面には支柱２２０に形成した貫通溝穴２２１に連続する溝穴６４９が形成されている。
【００６１】
上記各実施例では、看板本体２１０の展示面は固定壁の場合について説明したが、電子黒板のようにロールできる形式であってもよい。ロール式の展示面を有する看板７００の例を、図１３および図１４を用いて説明する。図１３は、手動で展示面をロールさせる場合の例であり、同図（ａ）はその側面図、同図（ｂ）はその正面図を一部断面で示した図である。
【００６２】
ロール状に形成されて両端部に複数の穴が形成された展示ロール７０２と、展示ロール７０２が巻回され、上下に離間して配置されるガイドロール７１２と、ガイドロール７１２の両端部に配置され軸７１０に固定されたスプロケット７１４と、軸７１０を回転可能に支持する軸受７１６と、軸受を保持する１対の側板７０４、７０６を備える。展示ロール７０２は、看板本体２１０の展示面であって外面を構成する。下側の軸７１１の端部には、軸受７１６の他に、ウォーム歯車７２２が取付けられており、ウォーム歯車７２２に噛み合うウォーム７２４がその近傍に配置されている。ウォーム７２４が取付けられたウォーム軸７２６は軸受７２８で軸支され、その一端部が外側に延びている。ウォーム軸７２６の先端部は矩形状に面取りされており、その形状に合致する形状を有する専用工具７３０で、ウォーム軸７２６を手動で回動可能である。従って、展示面の展示物を変更しようとするときは、専用工具でウォーム軸７２６を回動することにより、新たな展示面を看板本体２１０の背面側から前面側へ移動させることが可能になる。なお、展示面がロール式になったので、摺動具６２０を押圧する当接具２０８を、直接看板本体２１０に設けることができない。そこで当接具２０８を有するアダプタ７３２を看板本体２１０の下部に、側板７０４を利用して取付ける。
【００６３】
ロール式の展示面の他の例を、図１４に示す。本実施例の看板本体７０１では、展示ロールは手動でロールされるのではなく、付設する折畳み式のゴミ集積ボックス３００、４００の上蓋３１０、４１０を開閉するごとに自動的にロールするようにしている。図１４ではゴミ集積ボックス４００の場合を例に取り説明するが、ゴミ集積ボックス３００の場合も同様である。ロール式の看板本体７０１の上半の構成は、図１３に示したものと同様である。展示ロール７０２の回動を駆動する駆動部が形成された下側の軸７１０には、軸端部でスプロケット７１４の他に増速手段（歯車）７５６、７５８が取付けられており、大歯車７５６が取付けられた軸７５２には、軸端部であって外側に、周方向に軸対称に複数個設けられた同一のカム形状を有するカム板７５０が取付けられている。なお軸７５２は、軸受７５４で回動可能に支持されている。
【００６４】
一方、折畳み式ゴミ集積ボックス４００の上蓋４１０の側面であって最も背面板４５０に近い部分にハンマ７４４が取付けられている。ハンマ７４４は、一端側が上蓋４１０に固定され、背面側に延びる折曲がり形状のアーム７４８とアーム７４８の先端部に設けられた打突部７４６を有する。上蓋４１０を持ち上げると、アーム７４８が軸７４２周りに回動し、打突部７４６が側板７０５に設けられたカム板７５０の受け面７６２に打突し、カム軸７５２（図１４（ａ）参照）を回動し、その回動が増幅されてロール軸７１０のスプロケット７１４を回動して展示ロール７０２を回動させる。上蓋４１０を閉じると打突部７４６およびアーム７４６は、カム板７５０に干渉することなく受け面７６２に対向する位置に保持される。これにより、上蓋の開閉時にロール式展示面を自動でロールできる。
【００６５】
なお上記実施例では、ロール式展示面を手動または上蓋の開閉時の力でロールしているが、小さなモータと電池を看板本体２１０に内蔵させて、所定時間間隔またはスイッチ投入ごとや上蓋３１０、４１０の開閉ごとに展示ロールをロールするようにしてもよい。この場合複雑な機構がないので、展示ロールのロールが容易になる。この実施例でも、看板本体２１０を落下させるために、落下用の当接具を備えたアダプタ７３２を看板本体７０１の下部に取付ける。
【００６６】
以上述べたように本考案の種々の実施例によれば、強風時に展示面を有する看板本体を看板の下部であって支柱間に自動で格納できるので、看板およびそれが付設されるゴミ集積ボックスを安全に保持することができる。また、看板とゴミ集積ボックスを一体的にコンパクトに格納できると共に、ゴミ集積ボックスを使用しない場合でも看板としての機能を維持することができる。なお上記図２に示す実施例ではフレームを角材で、図４に示す実施例ではフレームをパイプにしているが、それらを逆にして、図２でパイプを図４で角材をフレームに用いるようにしても良いことは言うまでも無い。材料の加工性や入手容易性、価格を考慮して、それらは判断される。
【符号の説明】
【００６７】
１００、１１０…看板付きゴミ集積ボックス、２００…看板、２０６…ガイド部、２０８…当接具、２１０…看板本体、２１１…持ち手部、２１２…看板部、２１３…軸、２１４…（ガイド）ローラ、２１８…ガイドレール、２２０…支柱、２２１…貫通溝穴、２２２…固定部材、２２４…雨水除けキャップ、２２８…固定部材、２３０…支持部材、２３１…脱落防止部材、２３２、２３４…ストッパ（緩衝材）、２３６…摺動部材、２４２…ネジ、２４６…分岐部、２４８…ガイド部材、２５１…（後ろ側）通路、２５２…（前側）通路、２５４…支持部材、３００…ゴミ集積ボックス、３１０…上蓋、３１２…網、３１４…フレーム、３１６…把手、３１８…ヒンジ取付け部、３２０…背面板、３２２…支柱、３２４…固定部、３２６…背板、３２８…天板部、３３０…切欠き部、３３４、３３６…ヒンジ（蝶番）、３４０…（折畳み式）側板、３４４…前側板部、３４２…後ろ側板部、３４６…フレーム、３４８…網、３５０、３５２、３５４…ヒンジ（蝶番）、３６０…底板、３６２…切欠き部、３６４…フック、３７０……前板、３７２…フレーム、３７４…網、３７６…キャスタ、４００…ゴミ集積ボックス、４１０…上蓋、４１２…網、４１４…フレーム、４１６…回動保持具、４２０…収納容器、４２２…フレーム、４２４…回動保持具、４２６…（網状）袋、４２８…索通し部、４３０…紐、４３２…紐穴、４３５…上支柱部、４３６…下支柱部、４４０…支柱、４４１…保持環、４４２…保持具、４４４…長穴、４４６…貫通穴、４４８…差込み部、４４９…（フレーム）受け部、４５０…背面板、４５２…支柱、４５４…背板、４５６…固定部、４５８、４６０、４６２…回動保持具取付け部、４７０…底板、４７２…下板、４７３…切欠き部、４７４…フレーム、４７６…回動保持具、４７８…溝、４８０…固定保持部、６００…看板、６０６…格納機構、６０８…落下機構、６１０…落下機構、６１２…ベース、６１３…受け部、６１４…保持部、６１８…ローラ、６１９…軸、６２０…摺動具、６２２…当接面、６２４…摺動面、６２６…開口部、６２８…摺動面、６３０…軸、６３２…節点、６３４…長リンク、６３６…短リンク、６４２…案内溝、６４４…切り込み、６４８…ストッパ壁、６４９…溝穴、６５０…パンタ機構（リンク機構）、７００…（ロール式）看板、７０２…展示ロール、７０４〜７０６…側板、７１０…ロール軸、７１２…ガイドロール、７１４…スプロケット、７１６…軸受、７２２…ウォーム歯車、７２４…ウォーム、７２６…（ウォーム）軸、７２８…軸受、７３０…（専用）工具、７３２…アダプタ、７４２…（アーム）軸、７４４…ハンマ、７４６…打突部、７４８…アーム、７５０…カム板、７５２…カム軸、７５４…軸受、７５６、７５８…増速手段（歯車）、７６２…受け面。
【図１】
0003229533.tif 000003
【図２】
0003229533.tif 000004
【図３】
0003229533.tif 000005
【図４】
0003229533.tif 000006
【図５】
0003229533.tif 000007
【図６】
0003229533.tif 000008
【図７】
0003229533.tif 000009
【図８】
0003229533.tif 000010
【図９】
0003229533.tif 000011
【図１０】
0003229533.tif 000012
【図１１】
0003229533.tif 000013
【図１２】
0003229533.tif 000014
【図１３】
0003229533.tif 000015
【図１４】
0003229533.tif 000016
【手続補正書】
【提出日】令和2年9月14日(2020.9.14)
【手続補正１】
【補正対象書類名】実用新案登録請求の範囲
【補正対象項目名】全文
【補正方法】変更
【補正の内容】
【実用新案登録請求の範囲】
【請求項１】
地面に固定して立設され、平面状の広告面が形成された看板本体を備える屋外で使用する看板において、
通常時には前記広告面の底部位置が、少なくとも地面より８０ｃｍ以上の高さ位置に配設されており、
前記看板本体に所定風速を超える風が吹いたら、前記看板本体が通常高さ位置から地面側へ落下する落下機構と、落下の衝撃を緩和する緩衝材と、前記看板本体を通常高さ位置に支持する支持手段とを設け、
前記落下機構は前記看板本体の落下動を案内する案内手段を備え、前記案内手段は、前記看板本体の幅方向両側に設けたローラとこのローラが移動するローラレールとを備えたことを特徴とする看板。
【請求項２】
前記看板本体の広告面は、少なくとも平板状の広告面もしくは上下両端部を回動部として回動するロール型の広告面のいずれかである請求項１に記載の看板。
【請求項３】
前記ロール型の広告面は、電動モータで広告面をロールすることを特徴とする請求項２に記載の看板。
【請求項４】
前記看板の前面側に配設され、不使用時には折り畳んで格納可能なゴミ集積ボックスを設けたことを特徴とする請求項１に記載の看板。
【請求項５】
前記ゴミ集積ボックスは、前記看板本体の下部であって前記看板に対向して設けられ、幅方向両側に支柱が取付けられる背板と、上下方向に離間してこの背板に対して回動可能に取付けられた上蓋および底板と、前記背板の両側部に設けられゴミ集積ボックスの奥行き方向中間部でヒンジを介して連結された折り畳み可能な側板と、一方の前記折り畳み可能な側板の一端側にその一端が、他方の前記折り畳み可能な側板の一端側にその他方がヒンジを介して接続された前板を含むことを特徴とする請求項４に記載の看板。
【請求項６】
前記ゴミ集積ボックスは、前記看板本体の下部であって前記看板に対向して設けられ、幅方向両側に支柱が取付けられる背板と、回動手段を介してこの背板に回動可能に取付けられた、上下方向に離間している上蓋および底板と、前記上蓋の下方で前記背板に回動可能に取付けられた収納容器とを備え、前記収納容器は前記上蓋に対応した大きさの開口を有するフレームと、このフレームに取付けられた網状の袋と、折り畳み可能に前記フレームに取付けられ、使用時に前記フレームをほぼ水平に維持する1対の支柱とを備えることを特徴とする請求項４に記載の看板。
【請求項７】
前記看板本体の広告面は、少なくとも平板状の広告面もしくは上下両端部を回動部として回動するロール型の広告面のいずれかであり、前記ロール型の広告面を、前記上蓋の回動でロールさせるロール手段を前記ゴミ集積ボックスに設けたことを特徴とする請求項５または６に記載の看板。
【請求項８】
背面板と、この背面板に取付けた底板を備えるゴミ集積ボックスにおいて、
前記背面板の背面側に請求項１から３のいずれか１項に記載の看板を配設したことを特徴とするゴミ集積ボックス。
【請求項９】
前記ゴミ集積ボックスは、前記底板を前記背面板に回動可能に取付け、
前記ゴミ集積ボックスの不使用時には、前記底板を回動して前記背面板の前面側に前記底板を折り畳んで、前記ゴミ集積ボックスをコンパクトに格納することを特徴とする請求項８に記載のゴミ集積ボックス。